(57)【要約】【課題】  ビルの壁面への設置およびメンテナンスの容易な壁面緑化システムを提供すること。【解決手段】  縦横に組み合わされた格子部材（１１、１２）と、前記格子部材を所定の間隔を有して支える腕部材（１３）と、前記腕部材の取り付けられた枠部材（１４）と、前記枠部材を壁面に取り付けるアンカー部材（１６）とから構成されたので、ビルの壁面への設置およびメンテナンスが容易である。また、垂れ下がる蔓性植物を確実に格子部材で支えることができる。【選択図】  図１
2005143406.tif 000002
【特許請求の範囲】
【請求項１】
縦横に組み合わされた格子部材と、
前記格子部材を所定の間隔を有して支える腕部材と、
前記腕部材の取り付けられた枠部材と、
前記枠部材を壁面に取り付けるアンカー部材とから構成されたことを特徴とする壁面緑化システム。
【請求項２】
前記格子部材は、幅方向の側面に複数の凹部を有することを特徴とする請求項１に記載の壁面緑化システム。
【請求項３】
前記格子部材は、多孔質材から構成されたことを特徴とする請求項１または２に記載の壁面緑化システム。
【請求項４】
前記格子部材の上端近傍に植栽パレットを設置したことを特徴とする請求項１〜３何れか１に記載の壁面緑化システム。
【発明の詳細な説明】
【技術分野】
【０００１】
本発明は、ビル等の壁面や道路の遮音壁、コンクリート構造物の壁面に植物を育成する為の壁面緑化システムに関するものである。
【背景技術】
【０００２】
従来、ビルの屋上やベランダに植物を植えることは、広く行われている。また、ビル等の壁面を緑化するための壁面緑化システムが種々提案されている。例えば、図８に示すように壁面にアンカー１をほぼ四角形状に打ち込み、ステンレス製ワイヤー２を格子状に張り渡す。ワイヤー２の端部は、ターンバックルやクリップ３で締結する。
また、蔓性植物を使用して壁面を緑化するものとして、特許文献１に示すようなものが提案されている。ここに開示されたものは、屋上ウインチからワイヤーを地上まで下ろし、壁面の途中に設けたプランタに蔓性植物を植え、ワイヤーに伝わせて育成させるものである。
【０００３】
【特許文献１】特開２００２−２７２２７４号公報
【発明の開示】
【発明が解決しようとする課題】
【０００４】
しかし、従来の図７に示すステンレス製ワイヤー２を格子状に張り渡すものでは、設置のために足場が必要である。また、タンバックルやクリップの数が大量に必要となりコストが嵩むと云う欠点があった。
更に、特開２００２−２７２２７４号公報に開示された壁面緑化方法では、屋上ウインチから地上まで下ろしたワイヤーが途中で支持されていない為に、強風が吹いた際に大きく揺れて、プランタや蔓性植物が落下する虞れがあり、大変危険である。
【課題を解決するための手段】
【０００５】
前記目的を達成するために、請求項１に記載の発明は、縦横に組み合わされた格子部材と、前記格子部材を所定の間隔を有して支える腕部材と、前記腕部材の取り付けられた枠部材と、前記枠部材を壁面に取り付けるアンカー部材とから構成されたことを特徴としている。
【０００６】
また、請求項２に記載の発明において、前記格子部材は、幅方向の側面に複数の凹部を有することを特徴とするものである。
【０００７】
また、請求項３に記載の発明において、前記格子部材は、多孔質材から構成されたことを特徴とするものである。
【０００８】
また、請求項４に記載の発明において、前記格子部材の上端近傍に植栽パレットを設置したことを特徴とするものである。
【発明の効果】
【０００９】
この発明は前記した構成からなるので、以下に説明するような効果を奏することができる。
【００１０】
請求項１に記載の発明では、縦横に組み合わされた格子部材と、前記格子部材を所定の間隔を有して支える腕部材と、前記腕部材の取り付けられた枠部材と、前記枠部材を壁面に取り付けるアンカー部材とから構成されたので、足場を必要とすることなく、建物側から取り付けることができる。腕部材が壁面から離れて植物を保持するので、コンクリート等の壁面を植物が劣化させるのを防止することができる。また、蔓性植物が格子部材に絡みつき風が吹いても飛ばされて抜け出ることがない。
【００１１】
また、請求項２に記載の発明において、前記格子部材は、幅方向の側面に複数の凹部を有するので、この凹部に蔓性植物が確実に絡みつき、風が吹いても飛ばされない。
【００１２】
また、請求項３に記載の発明において、前記格子部材は、多孔質材から構成されたので、格子部材の多孔質部に盤根が入り込み蔓性植物の根が確実に保持される。したがって、横風等で植物が抜け出る虞れがない。
【００１３】
また、請求項４に記載の発明において、前記格子部材の上端近傍に植栽パレットを設置したので、蔓性植物が上端から垂れ下がり育成に伴って格子部材の全面を覆って壁面を緑化する。
【発明を実施するための最良の形態】
【００１４】
本発明は、縦横に組み合わされた格子部材を所定の間隔を有して腕部材で支え、この腕部材の固定された枠部材をアンカー部材で壁面に取り付けたので、足場を必要とすることなく、建物側から取り付けることができる壁面緑化システムを実現した。
【実施例１】
【００１５】
以下、一実施の形態を示す図面に基づいて本発明を詳細に説明する。図１は本発明に係る壁面緑化システムの一例を示す一部を切り欠いた平面図、図２は本発明の壁面緑化システムを示す側面図、図３は同壁面緑化システムの枠材を示す正面図である。ここで、壁面緑化システム１０は、縦横に組み合わされた格子部材１１、１２と、前記格子部材１１、１２を所定の間隔を有して支える腕部材１３と、前記腕部材１３の取り付けられた枠部材１４と、前記枠部材１４を壁面１５に取り付けるアンカー部材１６とから構成されている。
【００１６】
格子部材１１、１２は、図４に示すように細幅の板状をしており、幅方向の両側に半円状の凹部１１ａを複数有している。また、格子部材１１は、所定間隔で結合用ビス穴１１ｂを有している。ビス穴１１ｂは、本実施例では、菱形に配置されている。なお、格子部材１１は、ＦＲＰ等の合成樹脂から構成されており、多孔質材から構成してもよい。多孔質の孔の大きさは、蔓性植物、イワダレ草等の盤根が侵入可能な大きさであればよい。格子部材１１、１２は、ビスで格子状に組立てられ腕部材１３に固定される。
【００１７】
腕部材１３は、図５に示すようにフラットバー等を鈎型に曲げて構成する。鈎型に曲げた両端部には、ビス穴１３ａ、１３ｂが形成されている。また、アンカー部材１６は、図６に示すように係合用長穴１６ａが形成されている。この係合用長穴１６ａが下に向かって開放するように枠部材１４に固定する。枠部材１４は、縦材１４ａと横材１４ｂとから成り、適宜位置に腕部材１３が立設されている。また、図３に示すように枠部材１４には、縦材１４ａの上下にアンカー部材１６が取り付けられている。更に、図１、２に示すように格子部材の上端近傍に植栽パレット１７が設置される。植栽パレット１７内には、発泡フェノール等の吸水部材を配置すると共に栽培土壌を入れる。吸水部材を入れることにより、植栽に必要な土壌の量を少なくし、壁面緑化システム全体の重量を軽減することができる。また、潅水装置を不要とすることができる。
【００１８】
以上のように構成された本発明に係る壁面緑化システム１０の使用方法について説明する。先ず、ビル等の壁面にの設置場所を決めた後、アンカー１８を打ち込む。次に、壁面緑化システム１０を順次このアンカー１８にアンカー部材１６を取り付けて配置する。植栽パレット１７には、蔓性植物、例えば、蔦類やヘデラ等を植え、下に向かって垂れ下がるようにする。
【００１９】
なお、格子部材を湾曲させて構成すれば、凸状曲面、凹状曲面の壁であっても壁面緑化システムを取り付けることができる。このように構成した場合、従来のワイヤーを張り付けた場合に比べて、使用するアンカーのピッチが極めて少なくて済む。
【図面の簡単な説明】
【００２０】
【図１】図１は、本発明に係る壁面緑化システムの一例を示す一部を切り欠いた平面図である。
【図２】図２は、同壁面緑化システムを示す側面図である。
【図３】図３は、同壁面緑化システムの枠材を示す正面図である。
【図４】図４は、同壁面緑化システムに使用される格子部材の一例を示す正面図である。
【図５】図５は、同壁面緑化システムに使用される腕部材を示す斜視図である。
【図６】図６は、同壁面緑化システムに使用されるアンカーピースを示す斜視図である。
【図７】図７は、従来の壁面緑化システムの一例を示す斜視図である。
【符号の説明】
【００２１】
１０      壁面緑化システム
１１      格子部材
１１ａ    凹部
１１ｂ    ビス穴
１２      格子部材
１３      腕部材
１３ａ    ビス穴
１３ｂ    ビス穴
１４      枠部材
１５      壁面
１６      アンカー部材
１６ａ    係合用長穴
１７      植栽パレット
１８      アンカー
【図１】
2005143406.tif 000003
【図２】
2005143406.tif 000004
【図３】
2005143406.tif 000005
【図４】
2005143406.tif 000006
【図５】
2005143406.tif 000007
【図６】
2005143406.tif 000008
【図７】
2005143406.tif 000009